(57)【要約】【課題】構造を簡素化しつつ、正置き及び天吊りで設置した場合で装置本体の荷重による外装筐体の変形を略同一にすることができるプロジェクターを提供する。【解決手段】プロジェクター１は、画像情報に応じた画像を形成して投射する。このプロジェクター１は、外装を構成する外装筐体２と、外装筐体２の底面部２２に取り付けられ、プロジェクター１を載置面に載置する際に載置面に当接する支持脚４と、外装筐体２の天面部２１に取り付けられ、プロジェクター１を吊下げた状態で設置する際に用いられるハンドル５と、支持脚４における底面部２２に取り付けるための第１取付部、及びハンドル５における天面部２１に取り付けるための第２取付部５１を接続する接続フレーム６とを備える。【選択図】図５
2010175930.tif 000002
【特許請求の範囲】
【請求項１】
画像情報に応じた画像を形成して投射するプロジェクターであって、
外装を構成する外装筐体と、
前記外装筐体の底面部に取り付けられ、当該プロジェクターを載置面に載置する際に前記載置面に当接する第１支持部材と、
前記外装筐体の天面部に取り付けられ、当該プロジェクターを吊下げた状態で設置する際に用いられる第２支持部材と、
前記第１支持部材における前記底面部に取り付けるための第１取付部、及び前記第２支持部材における前記天面部に取り付けるための第２取付部を接続する接続フレームとを備える
ことを特徴とするプロジェクター。
【請求項２】
請求項１に記載のプロジェクターにおいて、
前記第１取付部及び前記第２取付部は、鉛直軸に沿う略同軸上に位置付けられ、
前記接続フレームは、鉛直軸に沿って延出するように形成されている
ことを特徴とするプロジェクター。
【請求項３】
請求項１または請求項２に記載のプロジェクターにおいて、
前記第２支持部材は、
前記第２取付部に接続し、当該プロジェクターを持ち運ぶための把持部を有する
ことを特徴とするプロジェクター。
【発明の詳細な説明】
【技術分野】
【０００１】
本発明は、プロジェクターに関する。
【背景技術】
【０００２】
従来、画像情報に応じた画像を形成して投射するプロジェクターとして、机等に載置する正置き、及び天井等から吊下げた状態で設置する天吊りの双方で使用可能なプロジェクターが知られている（例えば、特許文献１参照）。
特許文献１に記載のプロジェクターでは、天吊りで設置する際に、正置きで設置する際と逆の姿勢（外装筐体の天面部が下方側に向き、外装筐体の底面部が上方側に向く姿勢）となるように設計されている。そして、このプロジェクターの底面部には、正置きで設置した際に机等に当接する脚部と、天吊りで設置した際に天井吊下げ用の金具が装着されるネジ孔とが設けられている。
【０００３】
【特許文献１】特開２００４−２０５６６７号公報
【発明の開示】
【発明が解決しようとする課題】
【０００４】
ところで、特許文献１に記載のプロジェクターでは、底面部において、脚部と天吊り用のネジ孔とが異なる位置に形成されているため、正置きで設置した場合と天吊りで設置した場合とで、外装筐体内部に収納される装置本体の荷重を受ける位置が異なるものとなってしまう。
このように荷重を受ける位置が異なる場合には、正置き及び天吊りで設置した場合で、装置本体の荷重による外装筐体の変形が異なるものとなってしまう。特に大型のプロジェクターにおいては、変形の差が大きくなってしまう。
そして、特許文献１に記載のプロジェクターでは、複数の骨組部材を組み合わせたフレーム体を外装筐体内面に取り付けることで、外装筐体全体の強度を確保している。すなわち、フレーム体を用いることで、外装筐体の変形を抑制することができる。
しかしながら、特許文献１に記載のプロジェクターでは、複数の骨組部材を組み合わせたフレーム体を用いる必要があるため、構造が複雑化してしまう、という問題がある。
【０００５】
本発明の目的は、構造を簡素化しつつ、正置き及び天吊りで設置した場合で装置本体の荷重による外装筐体の変形を略同一にすることができるプロジェクターを提供することにある。
【課題を解決するための手段】
【０００６】
本発明のプロジェクターは、画像情報に応じた画像を形成して投射するプロジェクターであって、外装を構成する外装筐体と、前記外装筐体の底面部に取り付けられ、当該プロジェクターを載置面に載置する際に前記載置面に当接する第１支持部材と、前記外装筐体の天面部に取り付けられ、当該プロジェクターを吊下げた状態で設置する際に用いられる第２支持部材と、前記第１支持部材における前記底面部に取り付けるための第１取付部、及び前記第２支持部材における前記天面部に取り付けるための第２取付部を接続する接続フレームとを備える。
【０００７】
ここで、接続フレームとしては、第１取付部及び第２取付部に直接、接続する構成や、第１取付部や第２取付部が取り付けられる外装筐体の取付部位を介して、第１取付部及び第２取付部を接続する構成が例示できる。
【０００８】
本発明では、外装筐体の底面部には、プロジェクターを正置きで設置する際に机等の載置面に当接する第１支持部材が取り付けられている。また、外装筐体の天面部には、プロジェクターを天吊りで設置する際に用いられる第２支持部材が取り付けられている。すなわち、本発明のプロジェクターは、正置き及び天吊りで設置する際に、同様の姿勢（天面部が上方側を向き底面部が下方側を向く姿勢）となるように構成されている。
そして、プロジェクターは、第１支持部材における第１取付部、及び第２支持部材における第２取付部を接続する接続フレームを備える。このことにより、以下に示すように、プロジェクターを正置き及び天吊りで設置した場合で外装筐体内部に収納される装置本体の荷重による外装筐体の変形を略同一にすることができる。
【０００９】
先ず、プロジェクターを正置きで設置した場合には、第１支持部材でプロジェクターを支持するため、第１支持部材が装置本体の荷重を受けることとなる。
このため、装置本体の荷重により、底面部において、第１支持部材が取り付けられた取付部位の周囲の部位が変形することとなる。
一方、プロジェクターを天吊りで設置した場合には、第２支持部材でプロジェクターを支持するため、第２支持部材が装置本体の荷重を受けることとなる。ここで、第２支持部材の第２取付部と第１支持部材の第１取付部とが接続フレームにて接続されているため、正置きで設置した場合と同様に、擬似的に第１支持部材がプロジェクターを支持している構成とすることができる。すなわち、擬似的に第１支持部材が装置本体の荷重を受ける構成とすることができる。
このため、天吊りで設置した場合も正置きで設置した場合と同様に、装置本体の荷重により、底面部において、第１支持部材が取り付けられた取付部位の周囲の部位が変形することとなる。
以上のように、接続フレームという簡素な構成を用いるだけで、従来のように複雑な構成を用いることなく、プロジェクターを正置き及び天吊りで設置した場合で装置本体の荷重による外装筐体の変形を略同一にすることができる。
したがって、プロジェクターを正置き及び天吊りで設置した場合で、外装筐体の変形により内部の装置本体に与えられる影響を略同一にできるので、正置き状態でプロジェクターより適正な画像が投射されるように内部の光学部品の位置を調整しておけば、天吊り状態においても正置き状態と同様の状態を保つことができ、略同一の状態でプロジェクターを使用できる。
【００１０】
本発明のプロジェクターでは、前記第１取付部及び前記第２取付部は、鉛直軸に沿う略同軸上に位置付けられ、前記接続フレームは、鉛直軸に沿って延出するように形成されていることが好ましい。
本発明では、第１取付部及び第２取付部を上述した位置に位置付け、接続フレームを上述したように形成することで、プロジェクターを天吊りで設置した場合での接続フレームを介した第１取付部及び第２取付部間に加わる力の方向を鉛直軸に沿う方向に設定できる。このため、プロジェクターを天吊りで設置した場合において、接続フレーム自体の変形や、接続フレームと第１取付部及び第２取付部との接続部位の変形等を抑制することができる。したがって、プロジェクターを正置き及び天吊りで設置した場合で装置本体の荷重による外装筐体の変形を略同一にすることができるという効果をさらに好適に図れる。
【００１１】
本発明のプロジェクターでは、前記第２支持部材は、前記第２取付部に接続し、当該プロジェクターを持ち運ぶための把持部を有することが好ましい。
本発明では、第２支持部材には、第２取付部の他、把持部が設けられているので、天吊りで設置する際に用いる他、把持部を把持してプロジェクターを種々の位置に持ち運ぶ際にも用いることができ、利便性の向上が図れる。
【発明を実施するための最良の形態】
【００１２】
以下、本発明の実施の一形態を図面に基づいて説明する。
〔プロジェクターの概略構成〕
図１は、本実施形態におけるプロジェクター１の外観を示す斜視図である。具体的に、図１は、プロジェクター１が正置きで設置された状態を前面上側から見た斜視図である。
なお、以下で記載する「上」、「下」、「左」、「右」は、図１における図面視において、上下左右に相当するものである。また、以下で記載する「前面」、「背面」は、プロジェクター１において投射側（投射レンズ３１Ａが配置された側）を前面とし、その反対側を背面とする。
【００１３】
プロジェクター１は、画像情報に応じた画像を形成してスクリーン（図示略）上に投射する。このプロジェクター１は、図１に示すように、外装を構成する外装筐体２と、外装筐体２内部に収納される装置本体３（図２参照）と、第１支持部材としての支持脚４と、第２支持部材としてのハンドル５と、接続フレーム６（図２、図３参照）とで大略構成されている。
外装筐体２は、図１に示すように、鉛直方向に交差する天面部２１及び底面部２２と、前面部２３と、背面部２４と、右側面部２５と、左側面部２６とを備え、略直方体形状を有する。そして、外装筐体２は、天面部２１を有するアッパーケース２Ａと、底面部２２を有するロアーケース２Ｂとで大略構成されている。
なお、本実施形態では、外装筐体２は、合成樹脂で形成されている。
【００１４】
この外装筐体２の前面部２３には、図１に示すように、装置本体３を構成する投射レンズ３１Ａから投射された画像を通過させるための画像通過用開口部２３１が形成されている。
また、外装筐体２の天面部２１において、前面左右両側及び背面左右両側には、図１に示すように、ハンドル５が固定される第２固定部２１１がそれぞれ形成されている。
さらに、外装筐体２の底面部２２において、第２固定部２１１に対向する位置には、支持脚４が固定される第１固定部２２１（図３参照）がそれぞれ形成されている。
なお、第１固定部２２１及び第２固定部２１１の具体的な構造については、支持脚４、ハンドル５、及び接続フレーム６の構成を説明する際に同時に説明する。
【００１５】
図２は、本実施形態におけるプロジェクター１の内部構造を示す斜視図である。具体的に、図２は、図１の状態からアッパーケース２Ａを取り外した状態を前面上側から見た斜視図である。
装置本体３は、光源装置、前記光源装置から射出された光束を画像情報に応じて変調する液晶パネル等の光変調装置、及び光変調装置にて変調された光束を投射する投射レンズ３１Ａ等を有する光学ユニット３１の他、プロジェクター１内部を冷却する冷却ファン等を有する冷却ユニット、各構成部材に電力を供給する電源ユニット、及び光変調装置等を制御する制御装置等で構成されている。そして、装置本体３は、外装筐体２内部に固定される。
なお、装置本体３については、種々の一般的なプロジェクターで利用されているため、具体的な説明を省略する。
【００１６】
図３は、各固定部２１１，２２１、支持脚４、ハンドル５、及び接続フレーム６の接続構造を模式的に示す分解斜視図である。
先ず、支持脚４の構成を説明する前に、第１固定部２２１の具体的な構造について説明する。また、４つの第１固定部２２１は、同様の構造を有しているため、以下では、１つの第１固定部２２１のみを説明する。
第１固定部２２１は、図３に示すように、下方側から見た場合に略矩形形状を有し、底面部２２から上方に向けて凹状に膨出し、凹状の底部分が水平面に略平行な平坦となるように形成されている。
この第１固定部２２１において、底部分の略中央部分には、支持脚４が螺合される支持脚用ネジ孔２２１Ａが形成されている。
また、支持脚用ネジ孔２２１Ａの周囲には、具体的な図示は省略したが、４つの固定ネジＳｃ１（図３）がそれぞれ螺合する４つのフレーム用ネジ孔が形成されている。
【００１７】
支持脚４は、プロジェクター１を正置きで設置した際に机等の載置面に当接し、プロジェクター１を所定の姿勢に設定する部材である。そして、本実施形態では、支持脚４は、第１固定部２２１に対応して４つ設けられている（図５参照）。
なお、４つの支持脚４は、同様の構造を有しているため、以下では、１つの支持脚４のみを説明する。
この支持脚４は、図３に示すように、側面にネジ溝４１Ａが形成され支持脚用ネジ孔２２１Ａに螺合する円柱状の第１取付部４１と、第１取付部４１の下端部に一体的に設けられ机等の載置面に当接する当接部４２とを備える。
すなわち、利用者は、当接部４２を把持して回転させ、支持脚用ネジ孔２２１Ａに対する第１取付部４１の螺合状態を変更することで、支持脚４を底面部２２に対して上下に進退させ、正置きで設置したプロジェクター１の姿勢を変更することができる。
【００１８】
次に、ハンドル５の構成を説明する前に、第２固定部２１１の具体的な構造について説明する。また、４つの第２固定部２１１は、同様の構造を有しているため、以下では、１つの第２固定部２１１のみを説明する。
第２固定部２１１は、図３に示すように、上方側から見た場合に略矩形形状を有し、下方に向けて凹状に窪み、底部分が水平面に略平行な平坦となるように形成されている。
この第２固定部２１１において、底部分には、固定ネジＳｃ２（図３）が螺合するハンドル用ネジ孔２１１Ａと、４つの固定ネジＳｃ３（図３）にて接続フレーム６を固定するための段付き状の４つの固定用孔２１１Ｂとが形成されている。
なお、図３では、４つの固定用孔２１１Ｂのうち２つの固定用孔２１１Ｂが隠れた位置にあるため、２つの固定用孔２１１Ｂのみが図示されている。
【００１９】
ハンドル５は、プロジェクター１を天吊りで設置する際に、天吊り用の金具（図示略）が取り付けられる部材である。そして、本実施形態では、ハンドル５は、図１または図２に示すように、２つ設けられている。
すなわち、本実施形態のプロジェクター１は、天吊りで設置する際に、正置きで設置する際の姿勢（天面部２１が上方側に向き底面部２２が下方側に向く姿勢）と同様の姿勢となるように設計されている。
なお、２つのハンドル５は、同様の構造を有しているため、以下では、１つのハンドル５のみを説明する。
このハンドル５は、図１ないし図３に示すように、一対の第２取付部５１と、把持部５２とが一体的に形成され、略Ｕ字形状を有する。
【００２０】
一対の第２取付部５１は、同様の形状を有しているものであり、ハンドル５におけるＵ字形状の両端に位置し、前後方向に並設された各第２固定部２１１に取り付けられる部分である。
この第２取付部５１は、図３に示すように、嵌合部５１１と、延出部５１２とを備える。
嵌合部５１１は、第２固定部２１１に対応した略直方体形状を有し、第２固定部２１１に嵌合する。
延出部５１２は、嵌合部５１１の上面から上方側に延出するとともに、他方の第２取付部５１に向けて延出し、把持部５２に接続する。
そして、第２取付部５１には、延出部５１２の上方側の端面から嵌合部５１１の下方側端面に向けて貫通した段付き状の固定用孔５１Ａが形成されている。
【００２１】
把持部５２は、断面略矩形形状を有し、一対の第２取付部５１における各延出部５１２を接続する。
この把持部５２において、前後両側には、図１ないし図３に示すように、上下両面を貫通し、プロジェクター１を天吊りで設置する際に天吊り用の金具（図示略）が取り付けられる２つの天吊り用ネジ孔５２１が形成されている。
【００２２】
以上説明したハンドル５は、嵌合部５１１を第２固定部２１１に嵌合させた状態で、固定ネジＳｃ２を固定用孔５１Ａに挿通してハンドル用ネジ孔２１１Ａに螺合することで、天面部２１に固定される。
そして、２つのハンドル５は、天面部２１に固定された状態で、互いに平行となり、かつ、前後方向に延出するように配設される。
すなわち、２つのハンドル５は、プロジェクター１を天吊りで設置する際に用いられるとともに、各把持部５２を把持することでプロジェクター１を持ち運ぶ際にも用いられる。
【００２３】
接続フレーム６は、所定の剛性を有する金属等で構成され、各固定部２１１，２２１を介して、支持脚４の第１取付部４１、及びハンドル５の第２取付部５１を接続する。本実施形態では、接続フレーム６は、図２に示すように、第１取付部４１及び第２取付部５１の数（４つ）に対応して４つ設けられている。
なお、図２では、前面左側の接続フレーム６が隠れた位置にあるため、３つの接続フレーム６のみが図示されている。
また、４つの接続フレーム６は、同様の構造を有しているため、以下では、１つの接続フレーム６のみを説明する。
【００２４】
この接続フレーム６は、上述したように各固定部２１１，２２１（各取付部４１，５１）が互いに対向する位置に形成されている、すなわち、鉛直軸に沿う略同軸上に形成されているため、図３に示すように、鉛直軸に沿って延びるように形成されている。
そして、接続フレーム６は、図３に示すように、基部６１と、一対の起立片６２とを備える。
基部６１は、上下方向に延びる矩形板体状に形成され、外装筐体２の側面部２５（２６）に沿って配設される部分である。
一対の起立片６２は、同様の形状を有しているものであり、基部６１の前後方向の両端縁から外装筐体２の内部に向けて突出し、各固定部２１１，２２１に固定される部分である。
【００２５】
この起立片６２において、下方側には、斜め下方に向けて延出するとともに、先端部分が他方の起立片６２に離間する方向に略９０°屈曲して水平面に略平行した下側固定片６２１が設けられている。
この下側固定片６２１には、具体的な図示は省略したが、第１固定部２２１の左右方向に並設した２つのフレーム用ネジ孔に対応して、２つの固定用孔が形成されている。
そして、接続フレーム６は、図３に示すように、一対の下側固定片６２１を第１固定部２２１の底部分に当接した状態で、４つの固定ネジＳｃ１を各下側固定片６２１の各固定用孔に挿通し第１固定部２２１の４つのフレーム用ネジ孔に螺合することで、第１固定部２２１に固定される。
【００２６】
また、起立片６２において、上方側には、斜め上方に向けて延出するとともに、先端部分が他方の起立片６２に近接する方向に略９０°屈曲して水平面に略平行した上側固定片６２２が設けられている。
この上側固定片６２２には、図３に示すように、第２固定部２１１の左右方向に並設した２つの固定用孔２１１Ｂに対応して、２つのネジ孔６２２Ａが形成されている。
そして、接続フレーム６は、図３に示すように、一対の上側固定片６２２を第２固定部２１１の底部分に当接した状態で、４つの固定ネジＳｃ３を各固定用孔２１１Ｂに挿通し各ネジ孔６２２Ａに螺合することで、第２固定部２１１に固定される。
また、各側面部２５（２６）の内面には、図３に示すように、上下方向に延びる一対のリブ２５１（２６１）が形成されている。そして、一対のリブ２５１（２６１）は、接続フレーム６における一対の起立片６２を挟持し、接続フレーム６の位置ずれや強度を確保している。
【００２７】
〔装置本体の重心位置〕
図４は、装置本体３の重心位置Ｇを模式的に示す図である。具体的に、図４は、プロジェクター１を上方側から見た模式図である。
装置本体３の重心位置Ｇは、図４に示すように、上方側から見て４つの第２取付部５１で囲まれる矩形状の領域内に位置付けられている。
なお、４つの第１取付部４１は、各第２取付部５１に対して、鉛直軸に沿う略同軸上に位置付けられている。このため、装置本体３の重心位置Ｇは、上記同様に、上方側から見て４つの第１取付部４１で囲まれる矩形状の領域内に位置付けられているものである。
【００２８】
上述した本実施形態によれば、以下の効果がある。
図５は、本実施形態の効果を説明するための図である。具体的に、図５（Ａ）はプロジェクター１を前面側から見た図であり、図５（Ｂ）はプロジェクター１を右側面側から見た図である。
なお、図５では、説明の便宜上、外装筐体２の変形として、底面部２２の変形のみを二点鎖線で示している。
本実施形態では、プロジェクター１は、支持脚４の第１取付部４１、及びハンドル５の第２取付部５１を接続する接続フレーム６を備える。このことにより、以下に示すように、プロジェクター１を正置き及び天吊りで設置した場合で装置本体３の荷重による外装筐体２の変形を略同一にすることができる。
先ず、プロジェクター１を正置きで設置した場合には、４つの支持脚４でプロジェクター１を支持するため、４つの支持脚４が装置本体３の荷重を受けることとなる。
このため、図５に示すように、装置本体３の荷重により、底面部２２において、４つの支持脚４が取り付けられた４つの第１固定部２２１を囲む矩形状の領域の略中央部分が下方側に膨らむように変形する。
【００２９】
一方、プロジェクター１を天吊りで設置した場合には、２つのハンドル５でプロジェクター１を支持するため、２つのハンドル５が装置本体３の荷重を受けることとなる。ここで、２つのハンドル５が取り付けられた各第１固定部２２１と、４つの支持脚４が取り付けられた各第２固定部２１１とが各接続フレーム６にてそれぞれ接続されているため、正置きで設置した場合と同様に、擬似的に４つの支持脚４がプロジェクター１を支持している構成とすることができる。すなわち、擬似的に４つの支持脚４が装置本体３の荷重を受ける構成とすることができる。
このため、図５に示すように、天吊りで設置した場合も正置きで設置した場合と同様に、装置本体３の荷重により、底面部２２において、４つの支持脚４が取り付けられた４つの第１固定部２２１を囲む矩形状の領域の略中央部分が下方側に膨らむように変形する。
以上のように、接続フレーム６という簡素な構成を用いるだけで、従来のように複雑な構造を用いることなく、プロジェクター１を正置き及び天吊りで設置した場合で装置本体３の荷重による外装筐体２の変形を略同一にすることができる。
したがって、プロジェクター１を正置き及び天吊りで設置した場合で、外装筐体２の変形により装置本体３に与えられる影響を略同一のものとし、正置き状態でプロジェクター１より適正な画像が投射されるように内部の光学部品の位置を調整しておけば、天吊り状態においても正置き状態と同様の状態を保つことができる。
【００３０】
また、第１取付部４１及び第２取付部５１を鉛直軸に沿う略同軸上に位置付け、接続フレーム６を鉛直軸に沿うように形成することで、プロジェクター１を天吊りで設置した場合での接続フレーム６を介した第１取付部４１及び第２取付部５１間に加わる力の方向を鉛直軸に沿う方向に設定できる。このため、プロジェクター１を天吊りで設置した場合において、接続フレーム６自体の変形や、第１固定部２２１及び第２固定部２１１の変形等を抑制することができる。したがって、プロジェクター１を正置き及び天吊りで設置した場合で装置本体３の荷重による外装筐体２の変形を略同一にすることができるという効果をさらに好適に図れる。
【００３１】
さらに、ハンドル５には、第２取付部５１の他、把持部５２が設けられているので、天吊りで設置する際に用いる他、把持部５２を把持してプロジェクター１を種々の位置に持ち運ぶ際にも用いることができ、利便性の向上が図れる。
また、第１取付部４１及び第２取付部５１が４つ設けられ、装置本体３の重心位置Ｇが上方側から見て４つの第２取付部５１で囲まれる矩形状の領域内に位置付けられている。このことにより、プロジェクター１を正置き及び天吊りで設置した場合で、支持脚４やハンドル５にてプロジェクター１を安定に支持できる。
【００３２】
なお、本発明は前述の実施形態に限定されるものではなく、本発明の目的を達成できる範囲での変形、改良等は本発明に含まれるものである。
前記実施形態では、接続フレーム６は、第１取付部４１及び第２取付部５１に対して、外装筐体２における第１固定部２２１及び第２固定部２１１を介して接続されていたが、これに限らず、第１取付部４１や第２取付部５１に直接、接続した構成としても構わない。
【００３３】
前記実施形態において、支持脚４やハンドル５の数及び形状は、前記実施形態で説明した数及び形状に限らない。
例えば、当接部４２を左右方向に延びた形状で構成し、支持脚４を前面側に１つ、背面側に１つの計２つで構成しても構わない。この際、第１固定部２２１も同様に、前面側に１つ、背面側に１つの計２つ設ける。
また、ハンドル５は、略Ｕ字形状を有するように構成していたが、これに限らず、例えば、１つの第２取付部５１と把持部５２とを有する略Ｌ字形状となるように構成しても構わない。
さらに、本発明の第２支持部材としては、少なくとも天吊りで設置する際に用いられる構成であればよく、把持部５２を省略し、第２取付部５１に天吊り金具が装着されるネジ孔等の部位を設けた構成としても構わない。
【００３４】
前記実施形態では、第１取付部４１（第１固定部２２１）及び第２取付部５１（第２固定部２１１）が鉛直軸に沿う略同軸上に位置付けられていたが、これに限らず、ずれた位置に位置付けても構わない。この際には、接続フレーム６も上記ずれた位置に対応する形状で構成する。
【産業上の利用可能性】
【００３５】
本発明のプロジェクターは、構造を簡素化しつつ、正置き及び天吊りで設置した場合で装置本体の荷重による外装筐体の変形を略同一にすることができるため、プレゼンテーションやホームシアターに用いられるプロジェクターとして利用できる。
【図面の簡単な説明】
【００３６】
【図１】本実施形態におけるプロジェクターの外観を示す斜視図。
【図２】前記実施形態におけるプロジェクターの内部構造を示す斜視図。
【図３】前記実施形態における各固定部、支持脚、ハンドル、及び接続フレームの接続構造を模式的に示す分解斜視図。
【図４】前記実施形態における装置本体の重心位置を模式的に示す図。
【図５】前記実施形態の効果を説明するための図。
【符号の説明】
【００３７】
１・・・プロジェクター、２・・・外装筐体、４・・・支持脚（第１支持部材）、５・・・ハンドル（第２支持部材）、６・・・接続フレーム、２１・・・天面部、２２・・・底面部、４１・・・第１取付部、５１・・・第２取付部、５２・・・把持部。
【図１】
2010175930.tif 000003
【図２】
2010175930.tif 000004
【図３】
2010175930.tif 000005
【図４】
2010175930.tif 000006
【図５】
2010175930.tif 000007